(57)【特許請求の範囲】
【請求項１】
複数の第１スイッチを有するスイッチ基板が本体の内部に設置されているとともに、前記第１スイッチを操作するための複数の操作ボタンが、押し込み操作可能に前記本体の前面から露出して設けられた電子機器であって、
所定方向で隣り合う一対の操作ボタンの前記本体内部となる位置に、夫々他方側へ突出する舌片を設ける一方、
前記スイッチ基板上において前記一対の操作ボタンにより操作される２個の第１スイッチ間に第２スイッチを設けるとともに、後方への移動により前記第２スイッチを操作する操作部材を、前記本体内部における前記第２スイッチの前方で、且つ、一対の前記舌片の後方間に跨るように配置し、
前記一対の操作ボタンを同時に押し込み操作することで、前記舌片が前記操作部材を後方へ押圧し、前記操作部材が前記第２スイッチを操作することを特徴とする電子機器。
【請求項２】
不透明な部材により成形されているとともに前記操作ボタンを露出するボタン窓を開設してなるカバー体を、前記本体の前面を覆うように取り付け、当該カバー体を取付対象面に固着可能としたことを特徴とする請求項１に記載の電子機器。
【請求項３】
前記第１スイッチを、複数列複数行に配置するとともに、前記第２スイッチを、行間と列間とが交わる格子位置に配置したことを特徴とする請求項１又は２に記載の電子機器。
【請求項４】
前記操作ボタン及び前記操作部材と前記スイッチ基板との間に、弾性を有する合成樹脂からなるスイッチカバーを介在させるとともに、前記スイッチカバーに、前記操作ボタンの押し込み操作及び前記操作部材の後方への移動に伴い、前記第１スイッチ及び前記第２スイッチを操作するよう動作する操作突起を設けたことを特徴とする請求項１〜３の何れかに記載の電子機器。
【発明の詳細な説明】
【技術分野】
【０００１】
本発明は、たとえばテンキーを備えたアクセスコントロール装置等、押し込み操作可能な操作ボタンを複数備えてなる電子機器に関するものである。
【背景技術】
【０００２】
従来、複数の操作ボタンを備えた電子機器において、通常使用しないスイッチを操作する操作ボタン（たとえば、設定スイッチを操作する操作ボタン）は、通常使用する操作ボタンとは異なる位置（たとえば、電子機器本体ケースの側面等）や、たとえば特許文献１に記載されているように通常視認及び操作できない位置（たとえば、本体ケースに設けられた開閉可能なカバー内部）に設けられている。
【０００３】
【特許文献１】特開２００３−２２４６４７号公報
【発明の開示】
【発明が解決しようとする課題】
【０００４】
しかしながら、通常使用しない操作ボタンを本体ケースの側面等に設けた場合、使用者が本体ケースに触れる等した際に、当該操作ボタンを誤って操作してしまうおそれがあり、不用意に電子機器の各種設定をリセットしてしまうような事態が起こり得る。また、当該操作ボタンをたとえカバー内部等の通常視認及び操作できない位置に設けたとしても、カバーを開放するだけで操作ボタンを容易に操作することができるため、該操作ボタンが電子機器の設定に係るスイッチを操作するような場合には、防犯性に課題が生じる。さらに、カバーに錠を設けるとなると、部材点数が増大する、電子機器が大型化する、施錠／解錠のための鍵の管理が煩わしい等といった問題がある。
【０００５】
そこで、本発明は、上記問題に鑑みなされたものであって、所定のスイッチの誤操作を防止することができ、使い勝手にも優れた電子機器を提供しようとするものである。
【課題を解決するための手段】
【０００６】
上記目的を達成するために、本発明のうち請求項１に記載の発明は、複数の第１スイッチを有するスイッチ基板が本体の内部に設置されているとともに、第１スイッチを操作するための複数の操作ボタンが、押し込み操作可能に本体の前面から露出して設けられた電子機器であって、所定方向で隣り合う一対の操作ボタンの本体内部となる位置に、夫々他方側へ突出する舌片を設ける一方、スイッチ基板上において一対の操作ボタンにより操作される２個の第１スイッチ間に第２スイッチを設けるとともに、後方への移動により第２スイッチを操作する操作部材を、本体内部における第２スイッチの前方で、且つ、一対の舌片の後方間に跨るように配置し、一対の操作ボタンを同時に押し込み操作することで、舌片が操作部材を後方へ押圧し、操作部材が第２スイッチを操作することを特徴とする。
この構成によれば、第２スイッチを操作する操作部材を、本体内部に、且つ、操作ボタンの操作に応じて第２スイッチを操作するように設けているため、第２スイッチを操作するための専用の操作ボタンを本体から露出するように設けていた従来の電子機器と比較して、本体の小型化を図ることができる。また、所定方向で隣り合う一対の操作ボタンに、他方側へ突出する舌片を設けるとともに、操作部材を両舌片の後方間に跨るように配置して、一対の操作ボタンを同時に押し込み操作した場合にのみ、操作部材が第２スイッチを操作するように構成しているため、上記従来の電子機器と比較すると、第２スイッチの不用意な誤操作を防止することができる。さらに、誤操作防止のために鍵等も設ける必要がないため、鍵の管理等といった煩わしさがなく、使い勝手が良い。
【０００７】
請求項２に記載の発明は、請求項１に記載の発明において、不透明な部材により成形されているとともに操作ボタンを露出するボタン窓を開設してなるカバー体を、本体の前面を覆うように取り付け、当該カバー体を取付対象面に固着可能としたことを特徴とする。
この構成によれば、第２スイッチの位置や第２スイッチを操作するための方法が通常の使用者に知られることがない。したがって、当該第２スイッチが電子機器の設定に係るスイッチ等である場合には、防犯性の向上を図ることができる。
【０００８】
請求項３に記載の発明は、請求項１又は２に記載の発明において、第１スイッチを、複数列複数行に配置するとともに、第２スイッチを、行間と列間とが交わる格子位置に配置したことを特徴とする。
この構成によれば、本体内部の限られたスペースの中で、第２スイッチの設置や操作部材の配置に係るスペースを比較的広く確保することができ、第２スイッチや操作部材の設置が容易となるし、第２スイッチが小さ過ぎることによる接触不良等も生じにくい。
【０００９】
請求項４に記載の発明は、請求項１〜３の何れかに記載の発明において、操作ボタン及び操作部材とスイッチ基板との間に、弾性を有する合成樹脂からなるスイッチカバーを介在させるとともに、スイッチカバーに、操作ボタンの押し込み操作及び操作部材の後方への移動に伴い、第１スイッチ及び第２スイッチを操作するよう動作する操作突起を設けたことを特徴とする。
この構成によれば、スイッチカバーによってスイッチ基板への防水性を向上することができる上、操作部材が直接第２スイッチを操作する電子機器と比較すると、舌片が設けられた操作ボタンを１つだけ押し込み操作した際に第２スイッチが誤操作される事態を防止することができる。
【発明の効果】
【００１０】
本発明によれば、所定方向で隣り合う一対の操作ボタンの本体内部となる位置に、夫々他方側へ突出する舌片を設ける一方、スイッチ基板上において一対の操作ボタンにより操作される２個の第１スイッチ間に第２スイッチを設けるとともに、後方への移動により第２スイッチを操作する操作部材を、本体内部における第２スイッチの前方で、且つ、一対の舌片の後方間に跨るように配置しており、一対の操作ボタンを同時に押し込み操作することで、舌片が操作部材を後方へ押圧し、操作部材が第２スイッチを操作するように構成しているため、第２スイッチの誤操作防止、本体の小型化等を図ることができる。
【発明を実施するための最良の形態】
【００１１】
以下、本発明の一実施形態となるアクセスコントロール装置（電子機器）について、図面をもとに説明する。
【００１２】
図１は、アクセスコントロール装置１の外観を示した斜視説明図であり、図２は、アクセスコントロール装置１の本体２を示した斜視説明図、図３は、本体２を分解して示した斜視説明図である。尚、図３では、各操作ボタン３前面の表示（０〜９、Ａ、及びＢ）を省略している。
アクセスコントロール装置１は、テンキーを含む１２個の操作ボタン３、３・・を備えた本体２と、本体２の前面を覆うように組み付けられるカバー体４とからなり、後面に本体２が組み付けられたカバー体４を壁面等の取付対象面に固着して使用される。カバー体４は、金属や不透明な合成樹脂等の部材からなり、正面略中央には、本体２に設けられた操作ボタン３、３・・を露出するためのボタン窓５、５・・が開設されている。
【００１３】
本体２は、カバー体４の後面に組み付けるためのケース体６と、ケース体６内部に設置され、通常使用するキースイッチ７及び通常使用しないリセットスイッチ８が設けられたスイッチ基板９と、スイッチ基板９の前面を覆うように配置されるスイッチカバー１０と、スイッチカバー１０の前面に配置され、スイッチカバー１０越しにキースイッチ７を操作する１２個の操作ボタン３、３・・と、スイッチカバー１０の前面に配置され、後述の如くしてスイッチカバー１０越しにリセットスイッチ８を操作するリセットスイッチ操作部材１１とからなる。尚、１２は、ケース体６に開設され、操作ボタン３、３・・を露出するための丸孔である。
【００１４】
スイッチ基板９は、基板前面に合計１２個のキースイッチ７、７・・が上下方向へ４行、及び左右方向へ３列に並設されてなる。そして、キースイッチ７、７・・の１行目と２行目との行間、及びキースイッチ７、７・・の１列目と２列目との列間が交わる位置にはリセットスイッチ８が設けられている。さらに、キースイッチ７、７・・の１行目と２行目との行間、及びキースイッチ７、７・・の２列目と３列目との列間が交わる位置にもリセットスイッチ８が設けられている。
また、スイッチカバー１０は、弾性を有する合成樹脂により成形されたシート状部材であって、キースイッチ７、７・・及びリセットスイッチ８、８の前方となる位置には、操作ボタン３の押し込み操作に応じて前後移動する操作突起１３ａ、１３ｂが前方へ突設されている。当該操作突起１３ａ、１３ｂは、通常、前方へ突出した状態となっており、操作ボタン３の押し込み操作に伴って後方へ押し込まれ、後端部がキースイッチ７又はリセットスイッチ８と接触して各スイッチを操作するようになっている。尚、操作ボタン３の押し込み操作を解除すると、操作突起１３ａ、１３ｂは自身の弾性により前方へ突出する通常の状態へ復帰する。
【００１５】
さらに、スイッチカバー１０の前方には、カバー状の操作ボタン３、３・・が各操作突起１３ａの前面を覆うように配置されている。ここで、操作ボタン３、３・・のうち、斜め方向で隣り合う１行１列目の操作ボタン３ａ及び２行２列目の操作ボタン３ｂの基部（本体２の組み立て時にケース体６の内部に位置する）には、対向側へ突出する舌片１４が一体的に設けられている。また、斜め方向で隣り合う１行２列目の操作ボタン３ｃ及び２行３列目の操作ボタン３ｄの基部にも、同様の舌片１４が対向側へ突設されている。
加えて、スイッチカバー１０の前方には、リセットスイッチ８を操作するためのリセットスイッチ操作部材１１、１１も配置されている。当該リセットスイッチ操作部材１１は、板状に形成され、且つ、中央に前方へ突出するカバー部１１ａが設けられた合成樹脂製部材である。そして、該リセットスイッチ操作部材１１は、図４に示す如く、カバー部１１ａにより各操作突起１３ｂの前面を覆った状態で、且つ、長手方向の両端部１１ｂ、１１ｂが対向する舌片１４、１４の下面間に跨る（すなわち、操作ボタン３ａと操作ボタン３ｂとの舌片１４、１４下面間、及び操作ボタン３ｃと操作ボタン３ｄとの舌片１４、１４下面間に跨る）ように配置されている。
尚、スイッチカバー１０の前面は、操作ボタン３、３・・を取り外すと図５に示すような状態となり、リセットスイッチ操作部材１１、１１をも取り外すと図６に示すような状態となる。
【００１６】
ここで、上記アクセスコントロール装置１の使用について説明する。
アクセスコントロール装置１は、上述したようカバー体４を取付対象面に固着して設置されており、通常、使用者はテンキーを含む１２個の操作ボタン３、３・・を所定の順番に押し込み操作して、暗証番号の入力等を行う。このとき、たとえ操作ボタン３ａ〜３ｄが個々に押し込み操作されたとしても、リセットスイッチ操作部材１１は、カバー部１１ａを支点として押し込み操作された操作ボタン側へ傾くにすぎず、操作突起１３ｂが後方へ押し込まれる、すなわちリセットスイッチ８が操作されることはない。尚、本体２はカバー体４によって覆われているため、リセットスイッチ操作部材１１が使用者に視認されることはない。
【００１７】
一方、たとえばアクセスコントロール装置１を含んだシステムを管理する管理者等がアクセスコントロール装置１の設定をリセットしたい場合、一対の操作ボタン３ａ、３ｂ（又は操作ボタン３ｃ、３ｄ）を同時に押し込み操作すればよい。すると、リセットスイッチ操作部材１１が舌片１４、１４によって後方へ押圧され、ひいては操作突起１３ｂが後方へ押し込まれてリセットスイッチ８が操作され、アクセスコントロール装置１の設定がリセットされる。
【００１８】
以上のような構成を有するアクセスコントロール装置１によれば、リセットスイッチ８をキースイッチ７、７・・間に設け、通常１つずつ押し込み操作する操作ボタン３、３・・のうち所定の一対の操作ボタン３、３を同時に操作した場合にのみ、リセットスイッチ８が操作されるように構成している。したがって、リセットスイッチ８を操作するための専用の操作ボタンを備えたアクセスコントロール装置と比較して、装置の小型化等を図ることができる。さらに、該専用の操作ボタンを、たとえ側面等であっても外部に露出して設けられているアクセスコントロール装置と比較すると、リセットスイッチ８の誤操作を防止することができ、誤って設定がリセットされてしまうような事態が生じない。加えて、誤操作を防止するための鍵等を利用する必要がないため、施錠／解錠操作や鍵の管理等といった煩わしさがなく、使い勝手が良い。
また、本体２を覆うように取り付けられたカバー体４を取付対象面に固着して使用するため、リセットスイッチ８の位置やリセットスイッチ８を操作するための方法が通常の使用者に知られることがなく、防犯性の向上を図ることができる。
【００１９】
さらに、斜め方向で隣り合う操作ボタン３ａ〜３ｄの基部に他方側へ突出する舌片１４を設けるとともに、カバー部１１ａを有する板状のリセットスイッチ操作部材１１を、カバー部１１ａが操作突起１３ｂの前面を覆った状態で、且つ、長手方向の両端部１１ｂ、１１ｂが１組の舌片１４、１４の下面間に跨るように配置するといった比較的単純な構成により、１組の操作ボタン３ａ、３ｂ（又は操作ボタン３ｃ、３ｄ）が操作された場合にのみリセットスイッチ８を操作可能としている。したがって、複雑な形状や構造を有する部材を用いる必要がなく、低コスト化、組み立て作業の容易化を図ることができる。
さらにまた、リセットスイッチ８が、キースイッチ７、７・・の１行目と２行目との行間及びキースイッチ７、７・・の１列目と２列目との列間が交わる位置や、キースイッチ７、７・・の１行目と２行目との行間及びキースイッチ７、７・・の２列目と３列目との列間に設けられている。したがって、ケース体６内部の限られたスペースの中で、リセットスイッチ８やリセットスイッチ操作部材１１の設置に係るスペースとして比較的広いスペースを確保することができ、リセットスイッチ８やリセットスイッチ操作部材１１の設置が容易となるし、リセットスイッチ８が小さ過ぎることによる接触不良等も生じない。
加えて、スイッチ基板９の前面に弾性を有する合成樹脂からなるスイッチカバー１０を配置して、当該スイッチカバー１０に設けられた操作突起１３ａ、１３ｂが前後移動して各スイッチを操作するように構成しているため、スイッチ基板９への防水性の向上を図ることができるのは勿論のこと、リセットスイッチ操作部材の後方に突起を設けて当該突起が直接リセットスイッチを操作するような構造と比較して、たとえば操作ボタン３ａのみが押し込み操作された場合におけるリセットスイッチ８の誤操作を確実に防止することができる。
【００２０】
なお、本発明に係る電子機器は、上記実施形態に記載の態様に何ら限定されるものではなく、操作ボタン３、スイッチカバー１０、リセットスイッチ操作部材１１、及びカバー体４等に係る構成を、本発明の趣旨を逸脱しない範囲で、必要に応じて適宜変更することができる。
【００２１】
たとえば、上記実施形態では電子機器の一例であるアクセスコントロール装置１について説明しているが、本発明は、アクセスコントロール装置１に何ら限定されることはなく、操作ボタン３を複数備えたもの（たとえば、集合住宅インターホンシステムにおける集合玄関機や管理室親機）であってもよい。
また、操作ボタン３、３・・やリセットスイッチ８の数、配置、及び形状も上記実施形態に記載の態様に限定されることはなく、たとえば操作ボタン３、３・・が一直線に複数個（たとえば５個）配置されており、その所定の操作ボタン３、３間（２個目の操作ボタン３と３個目の操作ボタン３との間）にリセットスイッチ８が配置され、当該一組の操作ボタン３、３を同時に押し込み操作することでリセットスイッチ８を操作するように構成しても何ら問題はない。
【００２２】
さらに、キースイッチ７、７・・間に配置する第２スイッチは、リセットスイッチ８に何ら限定されることはなく、電子機器の設定に係るスイッチ（所謂、設定スイッチ）であればよい。
加えて、取付対象面内に埋設するタイプの電子機器であれば、カバー体４をフラット状に形成しても何ら問題はない。
【図面の簡単な説明】
【００２３】
【図１】アクセスコントロール装置の外観を示した斜視説明図である。
【図２】アクセスコントロール装置の本体を示した斜視説明図である。
【図３】本体を分解して示した斜視説明図である。
【図４】リセットスイッチ操作部材近傍を拡大して示した斜視説明図である。
【図５】図４中の操作ボタンを取り外した状態を示した斜視説明図である。
【図６】図５中のリセットスイッチ操作部材を取り外した状態を示した斜視説明図である。
【符号の説明】
【００２４】
１・・アクセスコントロール装置（電子機器）、２・・本体、３、３ａ、３ｂ、３ｃ、３ｄ・・操作ボタン、４・・カバー体、５・・ボタン窓、６・・ケース体、７・・キースイッチ（第１スイッチ）、８・・リセットスイッチ（第２スイッチ）、９・・スイッチ基板、１０・・スイッチカバー、１１・・リセットスイッチ操作部材（操作部材）、１１ａ・・カバー部、１１ｂ・・端部、１２・・丸孔、１３ａ、１３ｂ・・操作突起、１４・・舌片。
【図１】
0005048549.tif 000002
【図２】
0005048549.tif 000003
【図３】
0005048549.tif 000004
【図４】
0005048549.tif 000005
【図５】
0005048549.tif 000006
【図６】
0005048549.tif 000007